【手続補正書】
【提出日】平成24年3月12日(2012.3.12)
【手続補正１】
【補正対象書類名】特許請求の範囲
【補正対象項目名】全文
【補正方法】変更
【補正の内容】
【特許請求の範囲】
【請求項１】
ＬＰＣパラメータにより制御されるＬＰＣ合成フィルタと、それぞれがコードベクトルを有する複数のコードブックであって、少なくとも１つのコードブックはノンスピーチライク信号よりスピーチライク信号に適した励振をもたらすことを特徴とし、少なくとも１つの他のコードブックは、スピーチライク信号よりノンスピーチライク信号に適した励振をもたらすことを特徴とする、コードブックと、それぞれがコードブックに関連づけられた複数の利得係数と、を採用する、符号励振線形予測（ＣＥＬＰ）オーディオエンコーディングの方法であって、スピーチライク信号とは、ａ）単一の強い周期性を持つ成分（「有声」スピーチライク信号）、ｂ）周期性のないランダムノイズ（「無声」スピーチライク信号）、又はｃ）このような信号タイプ間での変わり目、のいずれかを具備する信号を意味し、ノンスピーチライク信号とは、スピーチライク信号の特徴を有しない信号を意味し、該方法は、
ＬＰＣパラメータを生成するためにオーディオ信号に線型予測コーディング（ＬＰＣ）分析を適用するステップと、
前記オーディオ信号とコードブック励振から導き出した再構成したオーディオ信号と差異の測度を最小にすることで、少なくとも２つのコードブックからコードベクトル及び／又は関連する利得係数を選択するステップであって、前記少なくとも２つのコードブックには、スピーチライク信号に適した励振をもたらす少なくとも１つのコードブックと、ノンスピーチライク信号に適した励振をもたらす他の少なくとも１つのコードブックとが含まれることを特徴とするステップと、
オーディオ信号を再構成するためにＣＥＬＰオーディオデコーダーで使用可能な出力を生成するステップであって、該出力にはＬＰＣパラメータとコードベクトルと利得係数とが含まれることを特徴とするステップと、
を具備し、
ノンスピーチライク信号よりスピーチライク信号に適した励振出力をもたらす前記少なくとも１つのコードブックは、ノイズライクな励振を生成するコードブックと周期的励振を生成するコードブックとを含み、前記他の少なくとも１つのコードブックは、知覚的オーディオエンコーダーをエミュレートするのに役立つ正弦曲線の励振を生成するコードブックを含むことを特徴とする方法。
【請求項２】
ＬＴＰパラメータを生成するために前記オーディオ信号に長期予測（ＬＴＰ）分析を適用するステップであって、周期的励振を生成するコードブックは、ＬＴＰパラメータにより制御され、少なくとも前記周期的励振と前記ノイズライクな励振とを時間遅れさせて結合した信号入力として受け取る適応コードブックであり、前記出力にはさらにＬＴＰパラメータが含まれることを特徴とするステップをさらに具備することを特徴とする請求項１に記載の方法。
【請求項３】
前記適応コードブックは、選択的に、信号入力として、周期的励振とノイズライクな励振と正弦曲線の励振とを時間遅れさせた結合、又は、周期的励振とノイズライクな励振とを時間遅れさせた結合のいずれかを受け取ることができ、前記出力には、前記適応コードブックが励振の結合中に正弦曲線の励振を受け取ったかどうかの情報をさらに含めることができることを特徴とする請求項２に記載の方法。
【請求項４】
オーディオ信号を複数の信号のクラスの１つにクラス分けするステップと、
このクラス分けに応じて動作モードを選択するステップと、
オープンループ手法により、励振出力に寄与させるために、１以上のコードブックを選択するステップと、
をさらに具備することを特徴とする請求項１乃至請求項３のいずれか１項に記載の方法。
【請求項５】
前記動作モードを選択するステップの信頼性レベルを決定するステップであって、高信頼性レベルを含む少なくとも２つの信頼性レベルがあることを特徴とするステップと、オープンループ手法により、信頼性レベルが高いときのみ、排他的に励振に寄与する１以上のコードブックを選択するステップとを、さらに、具備することを特徴とする請求項４に記載の方法。
【請求項６】
ＬＰＣパラメータにより制御されるＬＰＣ合成フィルタと、それぞれがコードベクトルを有する複数のコードブックであって、少なくとも１つのコードブックはノンスピーチライク信号よりスピーチライク信号に適した励振をもたらすことを特徴とし、少なくとも１つの他のコードブックは、スピーチライク信号よりノンスピーチライク信号に適した励振をもたらすことを特徴とする、コードブックと、それぞれがコードブックに関連づけられた複数の利得係数と、を採用する、符号励振線形予測（ＣＥＬＰ）オーディオエンコーディングの方法であって、スピーチライク信号とは、ａ）単一の強い周期性を持つ成分（「有声」スピーチライク信号）、ｂ）周期性のないランダムノイズ（「無声」スピーチライク信号）、又はｃ）このような信号タイプ間での変わり目、のいずれかを具備する信号を意味し、ノンスピーチライク信号とは、スピーチライク信号の特徴を有しない信号を意味し、該方法は、
オーディオ信号をスピーチライク信号成分とノンスピーチライク信号成分とに分離するステップと、
ＬＰＣパラメータを生成するために前記オーディオ信号のスピーチライク信号成分に線型予測コーディング（ＬＰＣ）分析を適用するステップと、
ノンスピーチライク信号よりスピーチライク信号に適した励振出力をもたらすコードブックに関連させた、コードベクトルの選択及び／又は利得係数を変化させることにより、ＬＰＣ合成フィルタ出力とオーディオ信号のスピーチライク信号成分との差異を最小化するステップと、
スピーチライク信号よりノンスピーチライク信号に適した励振出力をもたらすコードブックに関連させた、コードベクトルの選択及び／又は利得係数を変化させるステップと、
オーディオ信号の近似値を生成するためにＣＥＬＰオーディオデコーダーで用いることのできる出力をもたらすステップであって、該出力には、コードベクトルの選択及び／又は各コードブックと関連付けた利得と、ＬＰＣパラメータとが含まれることを特徴とするステップと、
を具備ことを特徴とする方法。
【請求項７】
前記分離するステップでは、前記オーディオ信号をスピーチライク信号成分とノンスピーチライク信号成分とに分離することを特徴とする請求項６に記載の方法。
【請求項８】
前記分離するステップでは、前記オーディオ信号から前記スピーチライク信号成分を分離し、前記オーディオ信号からスピーチライク信号成分を復元したものを減算することにより、前記ノンスピーチライク信号成分の近似値を導き出すことを特徴とする請求項６に記載の方法。
【請求項９】
前記分離するステップでは、前記オーディオ信号から前記ノンスピーチライク信号成分を分離し、前記オーディオ信号からノンスピーチライク信号成分を復元したものを減算することにより、前記スピーチライク信号成分の近似値を導き出すことを特徴とする請求項６に記載の方法。
【請求項１０】
第２の線型予測コーディング（ＬＰＣ）合成フィルタを用意するステップを具備し、該第２の線型予測コーディング合成フィルタにより、ノンスピーチライク信号成分を復元したものをフィルタすることを特徴とする請求項６乃至請求項９のいずれか１項に記載の方法。
【請求項１１】
ノンスピーチライク信号よりスピーチライク信号に適した励振出力をもたらす前記少なくとも１つのコードブックには、ノイズライクな励振を生成するコードブックと、周期的励振を生成するコードブックとを含むことができ、スピーチライク信号よりノンスピーチライク信号に適した励振出力をもたらす前記少なくとも１つのコードブックには、知覚的オーディオエンコーダーをエミュレートするのに役立つ正弦曲線の励振を生成するコードブックを含むことを特徴とする請求項６乃至請求項１０のいずれか１項に記載の方法。
【請求項１２】
ＬＴＰパラメータを生成するためにオーディオ信号のスピーチライク信号成分に長期予測（ＬＴＰ）分析を適用するステップを具備し、周期的励振を生成するコードブックはＬＴＰパラメータにより制御される適応コードブックであり、前記周期的励振と前記ノイズライクな励振とを時間遅れさせて結合した信号入力として受け取ることを特徴とする請求項１１に記載の方法。
【請求項１３】
スピーチライク信号よりノンスピーチライク信号に適した励振出力をもたらすコードブックと関連づけられた、コードブックベクトルの選択及び／又は利得係数は、スピーチライク信号成分に応じて変化させることを特徴とする請求項６に記載の方法。
【請求項１４】
スピーチライク信号よりノンスピーチライク信号に適した励振出力をもたらすコードブックと関連づけられた、コードブックベクトルの選択及び／又は利得係数は、このノンスピーチライク信号とこのようなコードブックから復元された信号との差異を減少させるために変化することを特徴とする請求項６に記載の方法。
【請求項１５】
ＬＰＣパラメータにより制御されるＬＰＣ合成フィルタと、それぞれがコードベクトルを有する複数のコードブックであって、少なくとも１つのコードブックはノンスピーチライク信号よりスピーチライク信号に適した励振をもたらすことを特徴とし、少なくとも１つの他のコードブックは、スピーチライク信号よりノンスピーチライク信号に適した励振をもたらすことを特徴とする、コードブックと、それぞれがコードブックに関連づけられた複数の利得係数と、を採用する、符号励振線形予測（ＣＥＬＰ）オーディオエンコーディングの方法であって、スピーチライク信号とは、ａ）単一の強い周期性を持つ成分（「有声」スピーチライク信号）、ｂ）周期性のないランダムノイズ（「無声」スピーチライク信号）、又はｃ）このような信号タイプ間での変わり目、のいずれかを具備する信号を意味し、ノンスピーチライク信号とは、スピーチライク信号の特徴を有しない信号を意味し、該方法は、
パラメータとコードベクトルと利得係数とを受け取るステップと、
少なくとも１つのコードブック励振出力から前記ＬＰＣ合成フィルタのための励振信号を導き出すステップと、
前記ＬＰＣフィルタの出力又は前記ＬＰＣ合成フィルタの出力と前記１つ以上のコードブックの励振の組み合わせからオーディオ出力信号を導き出すステップであって、該組み合わせは、コードブックの各々と関連づけられたコードベクトル及び／又は利得係数により制御されることを特徴とするステップと、
を具備し、
ノンスピーチライク信号よりスピーチライク信号に適した励振出力をもたらす前記少なくとも１つのコードブックは、ノイズライクな励振を生成するコードブックと周期的励振を生成するコードブックとを含み、前記他の少なくとも１つコードブックは、知覚的オーディオエンコーダーをエミュレートするのに役立つ正弦曲線の励振を生成するコードブックを含むことを特徴とする方法。
【請求項１６】
前記周期的励振を生成するコードブックは、ＬＴＰパラメータにより制御される適応コードブックであり、少なくとも前記周期的励振と前記ノイズライクな励振とを時間遅れさせて結合した信号入力として受け取り、前記方法は、ＬＴＰパラメータを受け取るステップをさらに具備することを特徴とする請求項１５に記載の方法。
【請求項１７】
前記コードブックの全ての励振はＬＰＣフィルタに適用され、前記適応コードブックは、選択的に、信号入力として、周期的励振とノイズライクな励振と正弦曲線の励振とを時間遅れさせた結合、又は、周期的励振とノイズライクな励振とだけを時間遅れさせた結合のいずれかを受け取り、前記方法は、前記適応コードブックが励振の結合中に正弦曲線の励振を受け取ったかどうかの情報を受け取るステップをさらに具備することを特徴とする請求項１６に記載の方法。
【請求項１８】
請求項１乃至請求項１７のいずれか１項に記載の方法を実行することができるようにした装置。
【請求項１９】
請求項１乃至請求項１７のいずれか１項に記載の方法をコンピュータに実行させるために、コンピュータ読み取り可能媒体に記憶させた、コンピュータプログラム。